(57)【特許請求の範囲】
【請求項１】
外側表面と内側表面とを有し、前記内側表面により空間部（６）が構成される袋状の塗布具（３）と、
該塗布具を囲む収納袋（１）と、
前記塗布具（３）の開口部及び前記収納袋（１）の開口部を共に封止するシール部（５）とを有して構成され、
前記シール部（５）を所定の位置において破断することで、前記塗布具（３）および前記収納袋（１）が共に開放されることを特徴とする化粧用品。
【請求項２】
前記塗布具（３）が、袋状または手袋形状であることを特徴とする請求項１に記載の化粧用品。
【請求項３】
前記塗布具（３）が不浸透性層と吸収性層とを有して構成され、前記不浸透性層が、前記空間部（６）が前記吸収性層から隔離されるように前記吸収性層の内側に配置されていることを特徴とする請求項１に記載の化粧用品。
【請求項４】
前記吸収性層が、綿、レーヨン、ポリエステル、ポリアミド、ポリオレフィン類又はアクリル類の素材から選ばれた不織布、編物又は織物であり、不浸透性層が柔軟性を有する樹脂フィルムであることを特徴とする請求項３に記載の化粧用品。
【請求項５】
前記シール部（５）には、前記シール部（５）の破断を容易とするように、破断線（４）が形成されることを特徴とする請求項１に記載の化粧用品。
【請求項６】
前記収納袋（１）内において、前記塗布具（３）の前記吸収性層の少なくとも一部分が化粧品と接触状態にあることを特徴とする請求項３に記載の化粧用品。
【請求項７】
前記収納袋（１）を構成するシートが、気液バリアー性に優れたフィルムの単層又は積層体であることを特徴とする請求項１記載の化粧用品。
【請求項８】
前記塗布具（３）が、前記空間部（６）のなかに使用者の指または手を受け入れるように構成されていることを特徴とする請求項１記載の化粧用品。
【発明の詳細な説明】
【０００１】
【発明の属する技術分野】
本発明は、化粧液と塗布具が一体化された使い捨てタイプの化粧液塗布具に関する。
また、本発明は、収納袋に袋状塗布具と化粧液を収納する簡単な構造の袋状塗布具であって、袋状塗布具の内部が空間部を形成されるように該袋状塗布具が収納袋に結合されており、使用時に該空間部に手指を挿入することで、手指や衣類などを汚すことなくトリートメントできる化粧液塗布具に関する。
【０００２】
【従来の技術】
従来、化粧料と塗布具が一体化された塗布用具としては、例えば実公平６−８８２３号公報に、粉末状の化粧料を接触又は液状の化粧料を含浸させた塗布具を樹脂フイルム製収納袋に収納したものは公知である。このように塗布具を収納袋に収納した場合に、塗布具の雑菌の繁殖を防止する利点があるが、化粧料が粉末のときは必要に応じて適量を塗布できるが、化粧料が液状のときには、化粧液を顔面に十分に塗布できるように塗布具への化粧液の含浸量を高めようとすると、含浸過剰の化粧液が収納袋に溜まった状態となって、塗布具を取り出そうとすると、過剰の液状化粧料によって手指を汚したり、化粧液が垂れて衣服を汚したりしりすることがある。また、これを避けるために塗布具に含浸する化粧液の量を減じると、使用時の塗布量が不足することとなり、満足な塗布性能が得られないなどの問題があった。
【０００３】
【発明が解決しようとする課題】
本発明は、上記の問題点に鑑み、収納袋に袋状の積層構造の塗布具と化粧液とを収納して長期の保管に耐える構造のものであって、使用時に袋状塗布具の内側の空間部に手指を挿入してトリートメント可能な化粧液塗布具を提供することを課題とする。
本発明の化粧液化粧具は、袋状の塗布具の内面の空間部は、化粧液とは非接触状態になっているので、塗布具への化粧液の含浸量を高めることができ、取出し時や使用時に、手指を汚すことなく、衣服の汚れも少ない。
【０００４】
【課題を解決するための手段】
すなわち、本発明は以下の構成を基本とするものである。
（１）袋状塗布具と化粧液が収納袋に気密収納されてなる塗布具であって、上記袋状塗布具は、外側表面を構成する布帛と内側の化粧液遮断性の樹脂フイルムとの積層体からなり、且つ、その内部に空間部が形成されるように上記袋状塗布具の少なくとも一部が上記収納袋に結合されていることを特徴とする化粧液塗布具。（２）袋状塗布具が、袋状又は手袋形状であることを特徴とする上記（１）に記載の化粧液塗布具。
（３）袋状塗布具を構成する布帛が、綿、レーヨン、ポリエステル、ポリアミド、ポリオレフィン類又はアクリル類の素材から選ばれた不織布、編物又は織物であり、他方の樹脂フイルムが柔軟性を有する化粧液遮断性のものであることを特徴とする上記（１）又は（２）に記載の化粧液塗布具。
（４）袋状塗布具と収納袋との結合が、塗布具使用時に易破断性の構造となっていることを特徴とする上記（１）〜（３）のいずれかに記載の化粧液塗布具。
（５）収納袋の保管時に袋状塗布具の外側布帛の少なくとも一部が化粧液と接触状態にあることを特徴とする上記（１）〜（４）のいずれかに記載の化粧液塗布具。
（６）収納袋を構成するシート材料が、気液バリアー性に優れたフイルムの単層又は積層体であることを特徴とする上記（１）〜（５）のいずれかに記載の化粧液塗布具。
【０００５】
【発明の実施の形態】
本発明の袋状塗布具は、布帛と化粧液遮断のための樹脂フイルムの積層構造体の袋状に形成されたもので、保管時には収納袋の中で積層構造の一方の布帛はその少なくとも一部が化粧液と接触状態に置かれており、他方の樹脂フイルムは、化粧液を遮断しており、その内側は空間部が形成されており、使用時にこの空間部に手指を挿入して、必要量の化粧液を布帛に含浸させた後、塗布するようにする。
【０００６】
本発明における袋状塗布具を収納する袋の素材や形状は、収納する化粧液を長期保存できる樹脂材料のものであれば、材質、形状などは限定されないが、使用する化粧液の長期保存の上から、気液バリア性を備えたポリエチレン、ポリプロピレン、ポリ塩化ビニル、ポリエステル、ポリアミドのような軟質フイルム単層あるいは上記樹脂フイルムにアルミやステンレスのような金属箔を積層した複層フイルム又は金属を蒸着したフイルム等の積層体を使用した気密性の収納袋が好ましい。これらのフイルムを、適宜、経済性を考慮して使用するようにする。
【０００７】
袋状化粧具を形成する外側素材の布帛は、素材として綿、レーヨン、ポリエステル、ポリアミド、ポリオレフィン類又はアクリル類などで、これら繊維の不織布、編物又は織物などを用いるが、手指への装着性の点で不織布や編物が好ましく使用できる。
布帛の目付や厚みなどは、特に限定されるものではなく、均一塗布に必要な分だけ化粧液を含むことができれものであればよいが、化粧液を含浸する前の布帛の重量を W0 、含浸後の布帛の重量を Wとすると、(W-W0)×100/W0で定義される含浸率が、100％〜300 ％である範囲のものを用いるのが好ましい。
また、外側の布帛に対して内側に積層して用いる化粧液遮断性フイルムは、液体の浸透を防止でき、皮膚トリートメントに必要な柔軟性を有する樹脂フイルムであれば、材質や厚みは特に限定されないが、経済性を考えると、ポリエチレンやポリプロピレンなどのポリオレフィン系樹脂フイルムが好ましい。
【０００８】
上記布帛と化粧液遮断性の樹脂フイルムとの積層フイルムを袋状に成形するには、高周波接着あるいはシール性接着剤やヒートシール接着剤を使用して熱融着させて気密性を確保するようにするが、適宜、収納袋外面に任意の印刷や装飾を施せばよい。上記収納袋に収納する袋状塗布具の形状は、正方形、長方形、半楕円状又は半円状のものなど種々の形状があるが、実用上、５本指の分離したグローブタイプ又は親指が分離したミトンタイプのものであると、手指の細かい動きに追随するので、きめ細かなトリートメントが容易となり好ましい。
【０００９】
収納袋の内部において、袋状化粧具は、外側の布帛面が化粧液に接するように収納袋内に化粧液とともに収納される。袋状化粧具の内側面の化粧液遮断フイルムによって手指挿入のための空間部が化粧液から完全に隔離されている。袋状化粧具に上記空間部が形成されるように、袋状塗布具と収納袋の一端部、例えば両者の開口部において結合シールするが、収納袋の気液の気密性を保持するためにヒートシールや熱接着など公知のシール方法を用いる。
【００１０】
本発明の塗布具によって、数多くの化粧液を使用することが可能である。
本発明で使用できる化粧液としては、例えば、エマルジョンタイプ又は溶液タイプのローション、乳液、ファンデーション、美白水、化粧水、あるいはその他の洗浄水、清拭水、液状ワックス類などがあるが、これらの化粧水に、適宜、美白剤、紫外線吸収剤、各種ビタミン剤、清涼剤、栄養剤、保湿剤、クレンジング剤などを添加することができる。
【００１１】
収納袋に収納される塗布具は、１枚でもよいし、必要に応じて２枚であってもよい。いずれにしても、袋状塗布具の開放部分を収納袋と結合しておく。
使用時には、このシール部分を鋏で切り取ったり、好ましくは収納袋の端部にＶ字状などの切り込みを入れておき、破断して開封するときに袋状塗布具も同時に破断して取り出せる構造にしておくと実用上好ましい。収納袋の気密性を損なわない範囲で任意の切取りガイドなどを設けておくとよい。
【００１２】
本発明の塗布具は、化粧に使用までは、酸化などの影響を受けることなく化粧液の品質維持することができる。収納袋の中で、袋状塗布具の布帛面には各種の化粧液が含浸された状態で保管されているので、使用時に開封して袋状塗布具の内側に手指を挿入するだけで、容易に目的の部位への化粧液の塗布作業を行うことができ、一方、袋状塗布具の内側はドライな状態に保たれているので、手や衣服などを汚損する問題もない。
【００１３】
図面を用いて本発明の塗布具納入袋を説明すると、図１〜図３は、本発明における化粧具が化粧水とともに収納袋に収納された、第１〜第３の実施形態の概念図、図４は、同じくその側面図を示す。
図中、積層構造の収納袋１内部には、化粧用塗布具３が化粧液２とともに収納され、収納袋及び袋状化粧具の両者の一端の開口部がシール部５で結合されている。結合シールの一端には使用時に収納袋から袋状化粧具を取出し易いように、破断線４を設けておく。袋状塗布具３は、内側に空間部６を形成するように、外面側が布帛７で、内面側がポリエチレンなどの化粧液遮断性の樹脂フイルム８で積層構造で構成されている。９は収納袋の空間部である。
袋状塗布具３は、図１のような袋体、図２のようなミトン型あるいは図３のようなグローブ型に形成されているが、いずれの場合であっても、化粧液のトリートメントのために手指がスムーズに挿入され、自在に屈曲できることが必要である。
【００１４】
【実施例】
次に、本発明を実施例によってさらに詳しく説明する。
【実施例１】
内側にポリエチレンフイルムと外側にレーヨン不織布とを接着した積層体を使用して袋状塗布具を製造した。次いでポリプロピレンフイルムを基材として内面側にアルミニウムを蒸着し、接合部にヒートシール接着材処理を施した積層フイルムの内側に上記前記袋状塗布具を配置し、化粧液としてセルフタンニングローションを収納した後、開口部をヒートシールし、内側を気密化した図１の塗布具を製造した。
得られた塗布具を収納する収納袋は、気密性と耐久性に優れるとともに酸素バリア性にも優れ、化粧液の長期保管ができた。
収納袋の端部に予め形成した切込み線を起点として開封して袋状塗布具の空間部に手を挿入して顔面の化粧液処理を行ったところ、セルフタンニングローションの塗布性に優れ、かつ化粧液によって手や衣類を汚損することがなかった。
【００１５】
【実施例２】
実施例１と同様の素材を使用して、化粧液として艶出し液を収納したミトンタイプの塗布具を結合した図２に示すような収納袋を製造した。この収納袋は耐久性に優れ、酸素バリア性にも優れ、艶出し液の長期保管ができた。
収納袋と袋状塗布具とのシール部に設けた切込み線を起点として収納袋開封して塗布具の空間部部に手を挿入して家具の艶出し処理を行ったところ、艶出し液の塗布性に優れ、かつ手指や衣類を汚損することがなかった。
【００１６】
【実施例３】
実施例１と同様の方法で、化粧液として紫外線吸収剤を含有する乳液を収納した図３に示すグローブタイプの塗布具の一端部を結合した塗布具を製造した。この塗布具を収納する収納袋は耐久性に優れ、酸素バリア性に優れ、乳液の長期保管ができた。
収納袋と袋状塗布具の端部に予め形成した切込み線を起点として開封してグローブタイプの塗布具の空間部に手を挿入して顔面のケア処理を行ったところ、乳液の塗布性にも優れ、手や衣類を汚損することがなかった。
上記乳液に代えて美白剤や紫外線吸収剤を含む化粧液を使用した場合においても、同様の効果を発揮した。
【００１７】
【発明の効果】
本発明の塗布具は、収納袋に袋状塗布具と各種の化粧液、洗浄剤、清拭剤、液状ワックス類などの化粧液を収納するだけの簡単な構造でありながら、袋状塗布具の内部にドライ状態の空間部が形成されるように収納袋と袋状塗布具を結合しているので、手や衣類などを汚すことなく目的部位への化粧液塗布性を高めることが可能となった。
また、本発明の袋状塗布具は、コンパクトで携帯性や気密性にも優れ、化粧液の長期保管が可能であり、破断線を開封するだけで化粧液が必要量含浸された袋状塗布具を取り出すことができるので、簡便に化粧液を塗布できる利便性がある。
さらに、袋状塗布具を手袋形状とすれば、手指の細かな動きに追随が可能となるので、きめ細かなトリートメント作業も容易にできる。
このため、各種の化粧用塗布具、美容塗布具の外に清拭用塗布具、家具や装飾品などの内装品、車両、建材、衣料品、鞄、靴類などの艶出し用塗布具などの分野への応用が可能である。
【図面の簡単な説明】
【図１】袋状の塗布具を用いた本発明の第１の実施形態
【図２】ミトンタイプの塗布具を用いた本発明の第２の実施形態
【図３】グローブタイプの塗布具を用いた本発明の第３の実施形態
【図４】本発明の収納袋の側面図
【符号の説明】
１   収納袋
２   化粧液
３   袋状塗布具
４   破断線
５   シール部
６   空間部部
７   布帛
８   樹脂シート
９   収納袋の空間部
【図１】
0004046998.tif 000002
【図２】
0004046998.tif 000003
【図３】
0004046998.tif 000004
【図４】
0004046998.tif 000005